(57)【要約】      （修正有）【課題】汗抜きクリーニングにおいて、衣類の伸縮や繊維の損傷を防ぐことが可能であると共に、更には、汗等水溶性の汚れを効率的に除去することが可能な汗抜き装置を提供する。【解決手段】汗抜き装置は、クリーニング対象物を載せる載置台２と、クリーニング対象物を吸引する吸引手段と、クリーニング対象物を固定する網材４と、クリーニング対象物にシリコン溶剤を塗布する噴霧手段７と、塗布したシリコン溶剤を吸引除去する除去手段６とにより構成した。【選択図】図１
0003182521.tif 000002
【実用新案登録請求の範囲】
【請求項１】
クリーニング対象物を載せる載置台（２）と、クリーニング対象物を吸引する吸引手段（５）と、クリーニング対象物を固定する網材（４）と、クリーニング対象物にシリコン溶剤を塗布する噴霧手段（７）と、塗布したシリコン溶剤を吸引除去する除去手段（６）と、により成る汗抜き装置。
【請求項２】
吸引手段（５）を構成する吸引ポンプと連結された吸引口（５ａ）を載置台（２）の上面に設けた載置面（２ａ）に設けたこと、
網材（４）を載置台（２）と開閉自在に設けたこと、
噴霧手段（７）を、溶剤タンク（７a）と、溶剤タンク（７ａ）にパイプ（７ｃ）を介して接続された溶剤スプレー部（７ｂ）と、溶剤スプレー部（７ｂ）から溶剤を噴霧させるための噴射ポンプ（７ｄ）とにより構成したこと、
除去手段（６）を、ウエットバキューム装置（６ａ）及びウエットバキューム装置（６ａ）を介して吸引する吸い口（６ｂ）、両者の間に介在されるパイプ（６ｃ）、及び吸引した水分等を貯めるタンク（６ｄ）とにより構成したこと、
溶剤タンク（７a）、噴射ポンプ（７ｄ）、ウエットバキューム装置（６ａ）及びタンク（６ｄ）を筐体（８ａ）内に装備し、吸い口（６ｂ）と溶剤スプレー部（７ｂ）を近傍に設けたこと、
を特徴とする請求項１に記載の汗抜き装置。
【考案の詳細な説明】
【技術分野】
【０００１】
本考案はドライクリーニングに付随して行われる、いわゆる汗抜きクリーニングを行う装置に関する。
【背景技術】
【０００２】
油脂は水に溶けにくく、通常の水を使った洗濯では落とすことが難しい。そこで水の代わりに工業ガソリンなどの有機溶剤を用いて洗濯する方法があり、これをドライクリーニングという。ドライクリーニングではオイルの染みや口紅など、普通の洗濯では落ちにくい油脂系汚れもよく落とすことができる。
【０００３】
また、ドライクリーニングではウールなどでできた衣料品でも、縮みや型くずれがしにくいという特徴がある。これらの繊維は水によって膨潤したりまたは繊維の表面が変性したりしてしまうが、有機溶剤ではこのような変化が生じないためである。
【０００４】
一方、ドライクリーニングでは水溶性の汚れ、例えば汗、食べ物のはね等は普通の洗濯に比べ落ちにくい。
【０００５】
以上のように、ドライクリーニングでは油脂系の汚れを落としやすいとう利点を有する反面、汗など水溶性の汚れは落としにくいという難点を有する。
【０００６】
そこで、生地に損傷を与えず且つ汗等の水溶性の汚れを洗浄するための洗濯装置と洗濯方法が、特許文献１、特許文献２に開示されている。
【先行技術文献】
【特許文献】
【０００７】
【特許文献１】特開２００８−１２２７４号公報
【特許文献２】特開２００８−５８５３号公報
【考案の概要】
【考案が解決しようとする課題】
【０００８】
先述のようにドライクリーニングでは油脂系の汚れを落としやすいとう利点を有する反面、汗など水溶性の汚れは落としにくいという難点を有する。そこで、ドライクリーニングを行なってから、更に水洗いを行ういわゆる汗抜きクリーニングという手法が行われることがある。
【０００９】
係る手法を用いれば、油脂性の汚れ、水溶性の汚れ、いずれも落とすことが可能である。
【００１０】
しかし、水洗いを行うことから、係る手法では、水と機械の物理的な力による作用いわゆるメカニカルアクションで、生地の収縮やフェルト化現象が起きてしまう。殊に、シルクやレーヨン、ウールなどは、色落ちや縮みが生じがちである。
【００１１】
昨今の消費不況のなかで、クリーニングの利用者層は中・高所得者層が中心になってきおり、その品質に対する要求が高まっている。就中、汗臭さを残さないこと、衣類を傷めないことが強く要求されることになる。
【００１２】
本考案は係る要求に答えるべく、上記汗抜きクリーニングにおいて、衣類の伸縮や繊維の損傷を防ぐことが可能であると共に、更には、汗等水溶性の汚れを効率的に除去することが可能な汗抜き装置を提供することを目的とする。
【課題を解決するための手段】
【００１３】
上記の目的を達成する本考案の構成は次の通りである。
【００１４】
（１）  請求項１に記載の汗抜き装置は、クリーニング対象物を載せる載置台と、クリーニング対象物を吸引する吸引手段と、クリーニング対象物を固定する網材と、クリーニング対象物にシリコン溶剤を塗布する噴霧手段と、塗布したシリコン溶剤を吸引除去する除去手段とにより構成した。
【００１５】
（２）請求項２に記載の汗抜き装置は、吸引手段を構成する吸引ポンプと連結された吸引口を載置台の上面に設けた載置面に設け、網材を載置台と開閉自在に設け、噴霧手段を、溶剤タンク、溶剤タンクにパイプを介して接続された溶剤スプレー部、溶剤スプレー部から溶剤を噴霧させるための噴射ポンプとにより構成し、除去手段を、ウエットバキューム装置、ウエットバキューム装置を介して吸引する吸い口、両者の間に介在されるパイプ、吸引した水分等を貯めるタンクとにより構成し、溶剤タンク、噴射ポンプ、ウエットバキューム装置及びタンクを一つの筐体内に装備し、吸い口と溶剤スプレー部を近傍に設けて構成した。
【考案の効果】
【００１６】
上記のように構成される本発明が、如何に作用して課題を解決する効果を有するかを、図面を参照しながら概説する。
【００１７】
本考案に係る汗抜き装置の概略を示すのが図１である。
【００１８】
載置台２の上に載せた洗濯物３は、上部より網材４で押さえられるとともに、下部より吸引手段５により吸引され固定される。係る固定状態の洗濯物３に、噴霧手段７によりシリコン溶剤が塗布され、次いで除去手段６により、塗布されたシリコン溶剤を吸引除去することで汗抜きを行うものである。
【００１９】
かように、本考案によれば、洗濯物を水槽内で回転移動或いは上下移動を行わせることで汚れを除去するもので無く、また、網材４の上からシリコン溶剤を吸引除去することから、洗濯物に直接吸引手段５が触れることもない。すなわち、水と機械の物理的な力による作用、いわゆるメカニカルアクションを可及的に抑えることが可能となり、つまりは衣類の伸縮や繊維の損傷を防ぐことが可能であると共に、更には、汗等水溶性の汚れを効率的に除去することが可能となるのである。
【図面の簡単な説明】
【００２０】
【図１】本考案の概略を示す説明図
【図２】本考案の一例を示す構成図
【図３】Ａ  載置台の正面図                                                              Ｂ  同、右側面図                                                                Ｃ  同、平面図                                                                  Ｄ  板材の平面図
【図４】噴霧除去装置の内部構成図。
【考案を実施するための形態】
【００２１】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２２】
本考案に係る汗抜き装置１は、図１に示すように載置台２、網材４、吸引手段５、除去手段６及び噴霧手段７を主な構成要素とするものであり、より詳しくは図２に示すように除去手段５と噴霧手段を７を一体化した噴霧除去手段８と、内部に吸引手段５を装備すると共に上部に網材４を備えた載置台２よりなるものである。
【００２３】
図３Ａに示すように載置台２は内部に吸引手段５を備えた筐体であり、洗濯物をセットする載置面２ａには、吸引口５ａが設けてある。吸引手段５は図示していないが吸引ポンプにより吸引を行うものであり、吸引ポンプは載置台２の筐体内部に設けてもよいし、載置台外に設置してもよい。吸引ポンプと吸引口５ａとは、吸引パイプ５ｂにより連結されるものである。
【００２４】
吸引口５ａが表れる載置面２ａには、多数の孔部９ａを有する板材９を置き、当該板材９の上に洗濯物を設置して作業が行われるものである。多数の孔部９ａを設けてあるのは、洗濯物を均等に吸引するためである。      
【００２５】
板材９の上に載置された洗濯物の上から更に網材４を被せ作業が行われるものである。この網材４は金網や樹脂製の網体などを利用できる。網材４は図３Ａ乃至Ｃに示すように、載置台２に対してヒンジ４ａなどを介して、開閉自在に取付られている。
【００２６】
図４は、噴霧手段７及び除去手段６を一体化した噴霧除去装置８の、内部構成を示すものである。真空吸引で水分を吸引除去する除去手段６は、ウエットバキューム装置（真空ポンプ）６ａ及びウエットバキューム装置６ａを介して吸引する吸い口（ウオンド）６ｂ、両者の間に介在されるパイプ６ｃ、及び吸引した水分等を貯めるタンク６ｄとにより成る。吸い口６ｂを手で持ち、網材４上を滑らせ、洗濯物３に塗布したシリコン溶剤を吸引除去するものである。
【００２７】
噴霧手段７は、溶剤タンク７aと、溶剤タンク７ａにパイプ７ｃを介して接続された溶剤スプレー部７ｂと、溶剤スプレー部７ｂから溶剤を噴霧させるための噴射ポンプ７ｄとによりなる。
【００２８】
上記噴霧手段７及び除去手段６を構成する、溶剤タンク（７a）、噴射ポンプ（７ｄ）、ウエットバキューム装置（６ａ）及びタンク（６ｄ）は一つの筐体（８ａ）内に一体的に装備し、かつ、吸い口と溶剤スプレー部を近傍に設けて構成してある。、吸い口と溶剤スプレー部を近傍に設けてあるのは、溶剤を塗布する作業と、塗布した溶剤等を吸引除去する作業を一体的に行うことを可能とするためである。
【００２９】
クリーニング対象物に塗布されるシリコン溶剤としては、ジメチコン、シクロメチコン等を含有するシリコン有機溶剤等を使用出来る。これら溶剤は繊維・縫製・染色に与える負荷が小さく、保湿させ繊維を潤わせながら洗浄するので、デリケートな衣料にも使用可能なものである。
【符号の説明】
【００３０】
１・・汗抜き装置                  ２・・載置台            ２ａ・・載置面
３・・洗濯物                      ４・・網材              ５・・吸引手段
５ａ・・吸引口                    ５ｂ・・吸引パイプ      ６・・除去手段    
６ａ・・ウエットバキューム装置    ６ｂ・・吸口            ６ｄ・・タンク
７・・噴霧手段                    ７ａ・・溶剤タンク      ７ｂ・・溶剤スプレー部
７ｃ・・パイプ                    ７ｄ・・噴射ポンプ      ８・・噴霧除去装置    ８ａ・・筐体                      ９・・板材              ９ａ・・孔部
【図１】
0003182521.tif 000003
【図２】
0003182521.tif 000004
【図３】
0003182521.tif 000005
【図４】
0003182521.tif 000006